(57)【特許請求の範囲】
【請求項１】
人に着用されて、人を放射線から防護する放射線防護衣において、
一端側と他端側とを互いに重ね合わせるように身体に巻いて身体を覆う覆い体と、
前記覆い体の略全面に設けられ、放射線を遮蔽する遮蔽部材と、
前記覆い体の一端側の表面と他端側の裏面に巻き方向にそれぞれ所定長さ設けられ、互いに係合されることで該一端側と該他端側とを連結する面ファスナと、
前記覆い体の一端側表面の先端部に前記所定長さより短い長さ分設けられ、前記面ファスナ部分とは区別して視認できる形態で成る、前記遮蔽部材の自重によって前記面ファスナの係合が外れる虞のあることを警告する警告表示部と、を備え、
前記警告表示部は、前記一対の面ファスナの互いの係合長が前記遮蔽部材の自重によって前記面ファスナの係合が外れる虞のない適正な係合長であるとき前記覆い体の他端側に隠され、前記一対の面ファスナの互いの係合長が前記適正な係合長でないとき前記覆い体の他端側に隠されることなく外部から見える状態となる、ことを特徴とする放射線防護衣。
【請求項２】
人に着用されて、人を放射線から防護する放射線防護衣において、
一端側と他端側とを互いに重ね合わせるように身体に巻いて身体を覆う覆い体と、
前記覆い体の略全面に設けられ、放射線を遮蔽する遮蔽部材と、
前記覆い体の一端側の表面と他端側の裏面に巻き方向にそれぞれ所定長さ設けられ、互いに係合されることで該一端側と該他端側とを連結する面ファスナと、
前記覆い体の一端側表面の先端部に前記所定長さより短い長さ分設けられ、前記面ファスナ部分とは区別して視認できる形態で成る警告表示部と、を備え、
前記警告表示部は、前記一対の面ファスナの互いの係合長が適正であるとき前記覆い体の他端側に隠され、前記一対の面ファスナの互いの係合長が適正でないとき前記覆い体の他端側に隠されることなく外部から見える状態となり、
前記覆い体の他端側は、平面視でＵ字状に切欠いた形状とされており、
前記一対の面ファスナの互いの係合長が適正でない状態になったとき、前記Ｕ字状の切欠いた部分を通して前記警告表示部が見える状態となる、ことを特徴とする放射線防護衣。
【発明の詳細な説明】
【技術分野】
【０００１】
本発明は、人に着用されて、人を放射線から防護する放射線防護衣に関するものである。
【背景技術】
【０００２】
従来から、放射線防護衣において、身体を覆う覆い体に、放射線（Ｘ線、α線、β線、ガンマ線等）を遮蔽する遮蔽部材を設けたものがある。覆い体は、天然繊維や合成繊維を用いた織布、不織布、合成皮革等により形成されている。遮蔽部材は、重金属をポリ塩化ビニルやポリエステル等の合成樹脂に含有させた部材により形成されており、覆い体の全面又は一部に設けられている。
【０００３】
このような放射線防護衣において、身体の一部の全周（腰から膝上に亘る部分の全周、胸から腰に亘る部分の全周、胸から膝上に亘る部分の全周等）を放射線から防護するものがある。このような放射線防護衣では、覆い体は、身体の一部の全周を覆うようになっており、遮蔽部材は、覆い体の全面に設けられている。また、このような放射線防護衣において、覆い体を一端側と他端側とを互いに重ね合わせるように身体の一部の全周に巻いて、覆い体の一端側と他端側に設けられた面ファスナを互いに係合することで覆い体の一端側と他端側とを連結して、着用するものが知られている（例えば特許文献１参照）。
【先行技術文献】
【特許文献】
【０００４】
【特許文献１】特開２０１２−１３２１２７号公報
【発明の概要】
【発明が解決しようとする課題】
【０００５】
ところで、上述した従来の放射線防護衣においては、遮蔽部材は、放射線を遮蔽するために重金属を含んでおり、重量が重い。このため、放射線防護衣を着用しているときに、面ファスナの互いの係合長が短いと（係合長が適正でないと）、遮蔽部材の自重によって、面ファスナの互いの係合が外れてしまう虞がある。また、面ファスナの互いの係合長が短いと、放射線防護衣の着用者が身動きしたときに、面ファスナの互いの係合が外れてしまう虞もある。面ファスナの互いの係合が外れてしまうと、覆い体の一端側と他端側との連結が外れてしまい、放射線防護衣の着用者の放射線から防護すべき身体の一部が露呈してしまう虞がある。
【０００６】
本発明は、上記課題を解決するためになされたものであり、覆い体の一端側と他端側とを連結する面ファスナの互いの係合が適正でないときに警告表示がなされて、防護衣の適正な着用を促し、ひいては、防護衣の面ファスナの互いの係合が外れるのを防止することができる放射線防護衣を提供することを目的とする。
【課題を解決するための手段】
【０００７】
上記目的を達成するために本発明の放射線防護衣は、人に着用されて、人を放射線から防護する放射線防護衣において、一端側と他端側とを互いに重ね合わせるように身体に巻いて身体を覆う覆い体と、覆い体の略全面に設けられ、放射線を遮蔽する遮蔽部材と、覆い体の一端側の表面と他端側の裏面に巻き方向にそれぞれ所定長さ設けられ、互いに係合されることで該一端側と該他端側とを連結する面ファスナと、覆い体の一端側表面の先端部に所定長さより短い長さ分設けられ、面ファスナ部分とは区別して視認できる形態で成る、遮蔽部材の自重によって面ファスナの係合が外れる虞のあることを警告する警告表示部と、を備え、警告表示部は、一対の面ファスナの互いの係合長が遮蔽部材の自重によって面ファスナの係合が外れる虞のない適正な係合長であるとき覆い体の他端側に隠され、一対の面ファスナの互いの係合長が適正な係合長でないとき覆い体の他端側に隠されることなく外部から見える状態となる。
【０００８】
また、本発明の放射線防護衣は、人に着用されて、人を放射線から防護する放射線防護衣において、一端側と他端側とを互いに重ね合わせるように身体に巻いて身体を覆う覆い体と、覆い体の略全面に設けられ、放射線を遮蔽する遮蔽部材と、覆い体の一端側の表面と他端側の裏面に巻き方向にそれぞれ所定長さ設けられ、互いに係合されることで該一端側と該他端側とを連結する面ファスナと、覆い体の一端側表面の先端部に所定長さより短い長さ分設けられ、面ファスナ部分とは区別して視認できる形態で成る警告表示部と、を備え、警告表示部は、一対の面ファスナの互いの係合長が適正であるとき覆い体の他端側に隠され、一対の面ファスナの互いの係合長が適正でないとき覆い体の他端側に隠されることなく外部から見える状態となり、覆い体の他端側は、平面視でＵ字状に切欠いた形状とされており、一対の面ファスナの互いの係合長が適正でない状態になったとき、Ｕ字状の切欠いた部分を通して警告表示部が見える状態となる。
【発明の効果】
【０００９】
本発明によれば、放射線防護衣を着用している状態において、面ファスナの互いの係合長が適正であるときには、警告表示部が覆い体の他端側に隠されて外部から見えない状態となり、面ファスナの互いの係合長が適正でないときには、警告表示部が覆い体の他端側に隠されることなく外部から見える状態となる。これにより、放射線防護衣の着用者又はその近くに居る者は、警告表示部が見えないときには、面ファスナの互いの係合長が適正であると判断することができ、警告表示部が見えるときには、面ファスナの互いの係合長が適正でないと判断することができる。従って、警告表示部が覆い体の他端側に隠されるように面ファスナを互いに係合させることにより、面ファスナの互いの係合長を適正状態にすることができ、面ファスナの互いの係合が外れるのを防止することができる。これにより、放射線防護衣の着用者の放射線から防護すべき身体の一部が露呈してしまうのを防ぐことができる。
【図面の簡単な説明】
【００１０】
【図１】（ａ）は本発明の第１の実施形態に係る放射線防護衣の人に着用された状態の正面図、（ｂ）は同背面図。
【図２】（ａ）は同放射線防護衣の覆い体の一端側と他端側とを連結した状態の正面図、（ｂ）は同覆い体の他端側を一端側から外して開いた状態の正面図、（ｃ）は同覆い体を展開した状態の補強部材、覆い体の第２層、及び遮蔽部材の一部を破断した正面図。
【図３】（ａ）は同放射線防護衣の面ファスナの係合長が適正であるときの着用例を示す正面図、（ｂ）は同面ファスナの係合長が適正であるときの別の着用例を示す正面図、（ｃ）は同面ファスナの係合長が適正でないときの着用例を示す正面図。
【図４】（ａ）は本発明の第２の実施形態に係る放射線防護衣の人に着用された状態の正面図、（ｂ）は同背面図。
【図５】（ａ）は同放射線防護衣の覆い体の一端側と他端側とを連結した状態の正面図、（ｂ）は同覆い体の他端側を一端側から外して開いた状態の正面図。
【図６】（ａ）は本発明の第３の実施形態に係る放射線防護衣の人に着用された状態の正面図、（ｂ）は同背面図。
【図７】（ａ）は同放射線防護衣の覆い体の一端側と他端側とを連結した状態の正面図、（ｂ）は同覆い体の他端側を一端側から外して開いた状態の正面図。
【発明を実施するための形態】
【００１１】
以下、本発明を具体化した実施形態による放射線防護衣について図面を参照して説明する。
＜第１の実施形態＞
図１（ａ）（ｂ）、図２（ａ）（ｂ）（ｃ）は、第１の実施形態による放射線防護衣の構成を示す。放射線防護衣１は、人に着用されて、人を放射線から防護するものである。この放射線防護衣１は、スカートタイプの防護衣であり、人の身体の腰から膝上に亘る部分の全周を放射線から防護するものである。
【００１２】
放射線防護衣１は、人の身体に巻いて身体を覆う覆い体２と、放射線（Ｘ線、α線、β線、ガンマ線等）を遮蔽する遮蔽部材３と、覆い体２の一端側と他端側とを連結する一対の面ファスナ４Ａ、４Ｂと、放射線防護衣１が適正に着用されていないことを警告する警告表示部５とを備える。
【００１３】
覆い体２は、天然繊維や合成繊維を用いた織布、不織布、合成皮革等の部材により形成されている。覆い体２は、一端側と他端側とを互いに重ね合わせるように身体の腰から膝上に亘る部分に巻いて、身体の腰から膝上に亘る部分の全周を覆うことができる形状をしている。覆い体２の他端側は、平面視でＵ字状に切欠いた形状とされている。すなわち、覆い体２は、覆い体２の他端側の巻き方向に張り出す２つの張出部２ａ、２ｂを有する。Ｕ字状の切欠いた部分６（張出部２ａと張出部２ｂとの間）は、放射線防護衣１が適正に着用されていないときに警告表示部５を見せるための窓の役割を果たすものである。
【００１４】
遮蔽部材３は、重金属をポリ塩化ビニルやポリエステル等の合成樹脂に含有させた部材により形成されており、柔軟性を有するシート状をしている。遮蔽部材３は、重金属を含有していることにより、放射線を遮蔽する能力を有している。遮蔽部材３は、覆い体２の内部に設けられている。すなわち、覆い体２は第１層２１と第２層２２とを有する２層構造になっており、覆い体２の第１層２１と第２層２２との間に遮蔽部材３が設けられている。遮蔽部材３は、覆い体２の略全面に設けられており、覆い体２の張出部２ａ、２ｂ以外の部分の全面に設けられている（張出部２ａ、２ｂの部分には設けられていない）。すなわち、遮蔽部材３は、覆い体２の張出部２ａ、２ｂ以外の部分において、覆い体２と同じ形状をしていて、過不足なく覆い体２の第１層２１及び第２層と重なっている。覆い体２の第１層２１、第２層２２、及び遮蔽部材３は、周縁部分において、周縁部分を補強する補強部材８と共に、糸９によって縫合されている。補強部材８は、覆い体２の第１層２１、第２層２２、及び遮蔽部材３の周縁全体に亘って、それらの端縁及び端面を覆っており、覆い体２の第１層２１、第２層２２、及び遮蔽部材３は、周縁に沿って、補強部材８と共に縫合されている。
【００１５】
面ファスナ４Ａ、４Ｂは、多数の微細係合体が密集して設けられたものであり、面ファスナ４Ａの微細係合体と面ファスナ４Ｂの微細係合体とが係合することにより、面ファスナ４Ａと面ファスナ４Ｂとが互いに係合して貼り付くように構成された留め具である。面ファスナ４Ａは、覆い体２の一端側の表面（覆い体２の第１層２１の表面）の一部に設けられており、面ファスナ４Ｂは、覆い体２の他端側の裏面（覆い体２の第２層２２の表面）の一部に設けられている。但し、面ファスナ４Ｂは、覆い体２の他端側の裏面のうち、少なくとも張出部２ａ、２ｂの部分を含む一部に設けられている。面ファスナ４Ａは、覆い体２の一端側の巻方向に所定長さ設けられており、覆い体２の一端側の端縁まで設けられている。面ファスナ４Ｂは、覆い体２の他端側の巻方向に所定長さ設けられており、覆い体２の他端側の端縁まで設けられている。面ファスナ４Ａ、４Ｂは、接着剤等により覆い体２に接着されている。面ファスナ４Ａ、４Ｂは、互いに係合されることで、覆い体２の一端側と他端側とを連結する。
【００１６】
警告表示部５は、覆い体２の一端側の表面の先端部に設けられている。警告表示部５は、覆い体２の一端側の巻方向に面ファスナ４Ａの長さ（所定長さ）より短い長さ分設けられており、覆い体２の一端側の端縁まで設けられている。警告表示部５は、警告表示部５の周囲の部分とは区別して視認できる形態で成っており、例えば、警告表示部５の周囲の部分と色が異なっている。なお、警告表示部５は、面ファスナ４Ａの一部であり、面ファスナ４Ａの一部を兼ねている。すなわち、警告表示部５は、面ファスナ４Ａのうちの警告表示部５以外の部分とは区別して視認できる形態で成っており、例えば、面ファスナ４Ａのうちの警告表示部５以外の部分は、青色になっており、警告表示部５の部分は、黄色になっている。
【００１７】
また、警告表示部５は、面ファスナ４Ａ、４Ｂの互いの係合長Ｌ（面ファスナ４Ａと面ファスナ４Ｂとが互いに係合している部分の覆い体２の巻方向の長さ）が適正であるとき覆い体２の他端側に隠され、面ファスナ４Ａ、４Ｂの互いの係合長Ｌが適正でないとき覆い体２の他端側に隠されることなく外部から見える状態となるように、設けられている。すなわち、警告表示部５は、面ファスナ４Ａ、４Ｂの互いの係合長Ｌが適正でない状態になったとき、覆い体２のＵ字状の切欠いた部分６（張出部２ａと張出部２ｂとの間）を通して見える状態となるように、設けられている。
【００１８】
面ファスナ４Ａ、４Ｂの互いの係合長Ｌが適正であるときとは、面ファスナ４Ａ、４Ｂの互いの係合長Ｌが適正下限係合長以上のときであり、面ファスナ４Ａ、４Ｂの互いの係合長Ｌが適正でないときとは、面ファスナ４Ａ、４Ｂの互いの係合長Ｌが適正下限係合長よりも短いときである。適正下限係合長は、遮蔽部材３の自重（放射線防護衣１の自重）や放射線防護衣１の着用者の身動きによって、面ファスナ４Ａ、４Ｂの互いの係合が外れてしまう虞がないときの係合長の、下限の係合長である。この適正下限係合長は、放射線防護衣１の重量や形状、面ファスナ４Ａ、４Ｂの取付位置や形状等によって異なり、試験等により求められる。この適正下限係合長に基いて、警告表示部５の長さ（覆い体２の一端側の巻方向の長さ）が決められる。
【００１９】
このような構成の放射線防護衣１は、覆い体２を一端側と他端側とを互いに重ね合わせるように人の身体の腰から膝上に亘る部分に巻いて、面ファスナ４Ａと面ファスナ４Ｂとを互いに係合して覆い体２の一端側と他端側とを連結することにより、人に着用される。
【００２０】
放射線防護衣１を着用している状態において、覆い体２は、一端側と他端側とを互いに重ね合わせるように身体の腰から膝上に亘る部分に巻かれて、身体の腰から膝上に亘る部分の全周を覆う。従って、覆い体２の張出部２ａ、２ｂ以外の部分の全面に設けられている遮蔽部材３も、覆い体２と同じように身体に巻かれて、身体の腰から膝上に亘る部分の全周を覆う。これにより、遮蔽部材３によって、人の身体の腰から膝上に亘る部分の全周が放射線から防護される。
【００２１】
また、放射線防護衣１を着用している状態において、面ファスナ４Ａ、４Ｂの互いの係合長Ｌが適正であるときには、警告表示部５が覆い体２の他端側に隠されて外部から見えない状態となる。一方、面ファスナ４Ａ、４Ｂの互いの係合長Ｌが適正でないときには、警告表示部５が覆い体２の他端側に隠されることなく外部から見える状態となる。すなわち、覆い体２のＵ字状の切欠いた部分６（張出部２ａと張出部２ｂとの間）を通して警告表示部５が見える状態となる。
【００２２】
図３（ａ）（ｂ）（ｃ）は、放射線防護衣１の着用例を示す。図３（ａ）に示す例では、警告表示部５が覆い体２の他端側に隠されていて外部から見えていない（面ファスナ４Ａも隠されていて外部から見えない）。従って、図３（ａ）に示す例では、面ファスナ４Ａ、Ｂの互いの係合長Ｌは適正であり、放射線防護衣１は適正に着用されている。
【００２３】
また、図３（ｂ）に示す例では、面ファスナ４Ａの一部が外部から見えているが、警告表示部５が覆い体２の他端側に隠されていて外部から見えていない。従って、図３（ｂ）に示す例でも、面ファスナ４Ａ、４Ｂの互いの係合長Ｌは適正であり、放射線防護衣１は適正に着用されている。
【００２４】
一方、図３（ｃ）に示す例では、警告表示部５の一部が覆い体２のＵ字状の切欠いた部分６（張出部２ａと張出部２ｂとの間）を通して外部から見えている。従って、図３（ｃ）に示す例では、面ファスナ４Ａ、４Ｂの互いの係合長Ｌは適正でなく、放射線防護衣１は適正に着用されていない。
【００２５】
警告表示部５の一部又は全部がＵ字状の切欠いた部分６を通して外部から見えているときには、警告表示部５が覆い体２の他端側に隠されるように面ファスナ４Ａと面ファスナ４Ｂとの係合を正すことにより、面ファスナ４Ａ、４Ｂの互いの係合長Ｌを適正にし、適正な着用となるようにする。
【００２６】
本実施形態の放射線防護衣１によれば、放射線防護衣１を着用している状態において、面ファスナ４Ａ、４Ｂの互いの係合長Ｌが適正であるときには、警告表示部５が覆い体２の他端側に隠されて外部から見えない状態となり、面ファスナ４Ａ、４Ｂの互いの係合長Ｌが適正でないときには、警告表示部５が覆い体２の他端側に隠されることなく外部から見える状態となる。これにより、放射線防護衣１の着用者又はその近くに居る者は、警告表示部５が見えないときには、面ファスナ４Ａ、４Ｂの互いの係合長Ｌが適正であると判断することができ、警告表示部５が見えるときには、面ファスナ４Ａ、４Ｂの互いの係合長Ｌが適正でないと判断することができる。従って、警告表示部５が覆い体２の他端側に隠されるように面ファスナ４Ａ、４Ｂを互いに係合することにより、面ファスナ４Ａ、４Ｂの互いの係合長Ｌが適正である状態にすることができ、放射線防護衣１を着用しているときに、面ファスナ４Ａ、４Ｂの互いの係合が外れるのを防止することができる。これにより、放射線防護衣１を着用しているときに、覆い体２の一端側と他端側との連結が外れてしまうのを防ぐことができ、放射線防護衣１の着用者の放射線から防護すべき身体の一部が露呈してしまうのを防ぐことができる。
【００２７】
しかも、覆い体２の他端側のＵ字状の切欠いた部分６は注目し易く、このＵ字状の切欠いた部分６を通して警告表示部５が見える状態となるため、警告表示部５が見える状態となっているときに、警告表示部５を発見し易い。これにより、面ファスナ４Ａ、４Ｂの互いの係合長Ｌが適正でなくて、警告表示部５が見える状態となっているときに、すぐに、警告表示部５を発見して、面ファスナ４Ａ、４Ｂの互いの係合長Ｌが適正でないと判断することができる。
【００２８】
また、覆い体２の他端側をＵ字状の切欠いた形状とすることにより、覆い体２の全面に設けられている遮蔽部材３の他端側も覆い体２と同じように切欠いた形状とすることになり、この切欠いた部分の重量だけ、放射線防護衣１を軽量化することができる。また、張出部２ａ、２ｂの部分に遮蔽部材３が設けられていないので、張出部２ａ、２ｂ（及び張出部２ａ、２ｂの部分に設けられている面ファスナ４Ｂ）の柔軟性が高く、張出部２ａ、２ｂの部分に設けられている面ファスナ４Ｂの全体を面ファスナ４Ａに係合させ易く、面ファスナ４Ａ、４Ｂの互いの係合を良くすることができる。
【００２９】
＜第２の実施形態＞
図４（ａ）（ｂ）、図５（ａ）（ｂ）は、第２の実施形態による放射線防護衣の構成を示す。本実施形態の放射線防護衣１は、上着タイプの防護衣であり、人の身体の胸から腰に亘る部分の全周を放射線から防護するものである。
【００３０】
本実施形態の放射線防護衣１は、上記第１の実施形態と同様に、覆い体２と、遮蔽部材３と、面ファスナ４Ａ、４Ｂと、警告表示部５とを備える。
【００３１】
覆い体２は、上記第１の実施形態と同様に、天然繊維や合成繊維を用いた織布、不織布、合成皮革等の部材により形成されている。但し、本実施形態の放射線防護衣１では、覆い体２は、人の左右の腕を通すための開口７Ｌ、７Ｒがあり、開口７Ｌ、７Ｒに左右の腕を通した状態で、一端側と他端側とを互いに重ね合わせるように身体の肩から腰に亘る部分に巻いて、身体の胸（開口７Ｌ、７Ｒの直下の部分）から腰に亘る部分の全周を覆うことができる形状をしている。覆い体２の他端側は、上記第１の実施形態と同様に、平面視でＵ字状に切欠いた形状とされている。すなわち、覆い体２は、覆い体２の他端側の巻き方向に張り出す２つの張出部２ａ、２ｂを有する。
【００３２】
遮蔽部材３は、上記第１の実施形態と同様に、重金属をポリ塩化ビニルやポリエステル等の合成樹脂に含有させた部材により形成されており、覆い体２の内部に設けられている。遮蔽部材３は、覆い体２の略全面に設けられており、覆い体２の張出部２ａ、２ｂ以外の部分の全面に設けられている（張出部２ａ、２ｂの部分には設けられていない）。
【００３３】
面ファスナ４Ａは、上記第１の実施形態と同様に、覆い体２の一端側の表面の一部に設けられている。面ファスナ４Ｂは、上記第１の実施形態と同様に、覆い体２の他端側の裏面の一部に設けられている。面ファスナ４Ａ、４Ｂは、互いに係合されることで、覆い体２の一端側と他端側とを連結する。
【００３４】
警告表示部５は、上記第１の実施形態と同様に、覆い体２の一端側の表面の先端部に設けられている。なお、警告表示部５は、上記第１の実施形態と同様に、面ファスナ４Ａの一部であり、面ファスナ４Ａの一部を兼ねている。
【００３５】
また、警告表示部５は、上記第１の実施形態と同様に、面ファスナ４Ａ、４Ｂの互いの係合長Ｌが適正であるとき覆い体２の他端側に隠され、面ファスナ４Ａ、４Ｂの互いの係合長Ｌが適正でないとき覆い体２の他端側に隠されることなく外部から見える状態となるように、設けられている。すなわち、警告表示部５は、面ファスナ４Ａ、４Ｂの互いの係合長Ｌが適正でない状態になったとき、覆い体２のＵ字状の切欠いた部分６（張出部２ａと張出部２ｂとの間）を通して見える状態となるように、設けられている。
【００３６】
このような放射線防護衣１は、覆い体２の左右の開口７Ｌ、７Ｒに人の左右の腕を通し、覆い体２を一端側と他端側とを互いに重ね合わせるように人の身体の肩から腰に亘る部分に巻いて、面ファスナ４Ａと面ファスナ４Ｂとを互いに係合して覆い体２の一端側と他端側とを連結することにより、人に着用される。
【００３７】
放射線防護衣１を着用している状態において、覆い体２は、一端側と他端側とを互いに重ね合わせるように身体の肩から腰に亘る部分に巻かれて、身体の胸（開口７Ｌ、７Ｒの直下の部分）から腰に亘る部分の全周を覆う。従って、覆い体２の張出部２ａ、２ｂ以外の部分の全面に設けられている遮蔽部材３も、覆い体２と同じように身体に巻かれて、身体の胸から腰に亘る部分の全周を覆う。これにより、遮蔽部材３によって、人の身体の胸から腰に亘る部分の全周が放射線から防護される。
【００３８】
また、放射線防護衣１を着用している状態において、面ファスナ４Ａ、４Ｂの互いの係合長Ｌが適正であるときには、警告表示部５が覆い体２の他端側に隠されて外部から見えない状態となる。一方、面ファスナ４Ａ、４Ｂの互いの係合長Ｌが適正でないときには、警告表示部５が覆い体２の他端側に隠されることなく外部から見える状態となる。すなわち、覆い体２のＵ字状の切欠いた部分６（張出部２ａと張出部２ｂとの間）を通して警告表示部５が見える状態となる。
【００３９】
本実施形態の放射線防護衣１によれば、上着タイプの防護衣において、上記第１の実施形態と同様の作用、効果を得ることができる。
【００４０】
＜第３の実施形態＞
図６（ａ）（ｂ）、図７（ａ）（ｂ）は、第３の実施形態による放射線防護衣の構成を示す。本実施形態の放射線防護衣１は、コートタイプの防護衣であり、人の身体の胸から膝上に亘る部分の全周を放射線から防護するものである。
【００４１】
本実施形態の放射線防護衣１は、上記第１の実施形態と同様に、覆い体２と、遮蔽部材３と、面ファスナ４Ａ、４Ｂと、警告表示部５とを備える。
【００４２】
覆い体２は、上記第１の実施形態と同様に、天然繊維や合成繊維を用いた織布、不織布、合成皮革等の部材により形成されている。但し、本実施形態の放射線防護衣１では、覆い体２は、人の左右の腕を通すための開口７Ｌ、７Ｒがあり、開口７Ｌ、７Ｒに左右の腕を通した状態で、一端側と他端側とを互いに重ね合わせるように身体の肩から膝上に亘る部分に巻いて、身体の胸（開口７Ｌ、７Ｒの直下の部分）から膝上に亘る部分の全周を覆うことができる形状をしている。また、覆い体２の他端側は、上下の２箇所において、平面視でＵ字状に切欠いた形状とされている。すなわち、覆い体２は、覆い体２の他端側の巻き方向に張り出す３つの張出部２ａ、２ｂ、２ｃを有する。２箇所のＵ字状の切欠いた部分６ａ、６ｂ（張出部２ａと張出部２ｂとの間、及び張出部２ｂと張出部２ｃとの間）は、放射線防護衣１が適正に着用されていないときに警告表示部５を見せるための窓の役割を果たすものである。
【００４３】
遮蔽部材３は、上記第１の実施形態と同様に、重金属をポリ塩化ビニルやポリエステル等の合成樹脂に含有させた部材により形成されており、覆い体２の内部に設けられている。遮蔽部材３は、覆い体２の略全面に設けられており、覆い体２の張出部２ａ、２ｂ、２ｃ以外の部分の全面に設けられている（張出部２ａ、２ｂ、２ｃの部分には設けられていない）。
【００４４】
面ファスナ４Ａは、上記第１の実施形態と同様に、覆い体２の一端側の表面の一部に設けられている。面ファスナ４Ｂは、上記第１の実施形態と同様に、覆い体２の他端側の裏面の一部に設けられている。但し、本実施形態の放射線防護衣１では、面ファスナ４Ｂは、覆い体２の他端側の裏面のうち、少なくとも張出部２ａ、２ｂ、２ｃの部分を含む一部に設けられている。面ファスナ４Ａ、４Ｂは、互いに係合されることで、覆い体２の一端側と他端側とを連結する。
【００４５】
警告表示部５は、上記第１の実施形態と同様に、覆い体２の一端側の表面の先端部に設けられている。なお、警告表示部５は、上記第１の実施形態と同様に、面ファスナ４Ａの一部であり、面ファスナ４Ａの一部を兼ねている。
【００４６】
また、警告表示部５は、上記第１の実施形態と同様に、面ファスナ４Ａ、４Ｂの互いの係合長Ｌが適正であるとき覆い体２の他端側に隠され、面ファスナ４Ａ、４Ｂの互いの係合長Ｌが適正でないとき覆い体２の他端側に隠されることなく外部から見える状態となるように、設けられている。但し、本実施形態の放射線防護衣１では、警告表示部５は、面ファスナ４Ａ、４Ｂの互いの係合長Ｌが適正でない状態になったとき、覆い体２の２箇所のＵ字状の切欠いた部分６ａ、６ｂ（張出部２ａと張出部２ｂとの間、及び張出部２ｂと張出部２ｃとの間）を通して見える状態となるように、設けられている。
【００４７】
このような放射線防護衣１は、覆い体２の左右の開口７Ｌ、７Ｒに人の左右の腕を通し、覆い体２を一端側と他端側とを互いに重ね合わせるように人の身体の肩から膝上に亘る部分に巻いて、面ファスナ４Ａと面ファスナ４Ｂとを互いに係合して覆い体２の一端側と他端側とを連結することにより、人に着用される。
【００４８】
放射線防護衣１を着用している状態において、覆い体２は、一端側と他端側とを互いに重ね合わせるように身体の肩から膝上に亘る部分に巻かれて、身体の胸（開口７Ｌ、７Ｒの直下の部分）から膝上に亘る部分の全周を覆う。従って、覆い体２の張出部２ａ、２ｂ、２ｃ以外の部分の全面に設けられている遮蔽部材３も、覆い体２と同じように身体に巻かれて、身体の胸から膝上に亘る部分の全周を覆う。これにより、遮蔽部材３によって、人の身体の胸から膝上に亘る部分の全周が放射線から防護される。
【００４９】
また、放射線防護衣１を着用している状態において、面ファスナ４Ａ、４Ｂの互いの係合長Ｌが適正であるときには、警告表示部５が覆い体２の他端側に隠されて外部から見えない状態となる。一方、面ファスナ４Ａ、４Ｂの互いの係合長Ｌが適正でないときには、警告表示部５が覆い体２の他端側に隠されることなく外部から見える状態となる。すなわち、覆い体２の２箇所のＵ字状の切欠いた部分６ａ、６ｂ（張出部２ａと張出部２ｂとの間、及び張出部２ｂと張出部２ｃとの間）の少なくとも一方を通して警告表示部５が見える状態となる。
【００５０】
本実施形態の放射線防護衣１によれば、コートタイプの防護衣において、上記第１の実施形態と同様の作用、効果を得ることができる。
【００５１】
なお、本発明は、上記各実施形態の構成に限られず、種々の変形が可能である。例えば、上記各実施形態において、覆い体２の他端側は、平面視でＵ字状に切欠いた形状とされておらず、真っ直ぐな形状とされていてもよい。このような構成においても、面ファスナ４Ａ、４Ｂの互いの係合長Ｌが適正であるときには、警告表示部５が覆い体２の他端側に隠されて外部から見えない状態となり、面ファスナ４Ａ、４Ｂの互いの係合長Ｌが適正でないときには、警告表示部５が覆い体２の他端側に隠されることなく外部から見える状態となり、上記各実施形態と同様の作用、効果を得ることができる。覆い体２は、１層構造であって、遮蔽部材３は、覆い体２の表面又は裏面に設けられていてもよい。面ファスナ４Ａの長さと面ファスナ４Ｂの長さは、同じであってもよく、異なっていてもよい。警告表示部５は、面ファスナ４Ａの一部を兼ねていなくてもよい。
【符号の説明】
【００５２】
１    放射線防護衣
２    覆い体
２ａ、２ｂ、２ｃ    張出部
３    遮蔽部材
４Ａ、４Ｂ    面ファスナ
５    警告表示部
６、６ａ、６ｂ    Ｕ字状の切欠いた部分
７Ｌ、７Ｒ    開口
８    補強部材
９    糸
２１    覆い体の第１層
２２    覆い体の第２層
【図１】
0005955816.tif 000002
【図４】
0005955816.tif 000003
【図２】
0005955816.tif 000004
【図３】
0005955816.tif 000005
【図５】
0005955816.tif 000006
【図６】
0005955816.tif 000007
【図７】
0005955816.tif 000008